(57)【要約】  本発明は、情報伝送方法、ネットワークデバイス、及び端末を提供し、この方法は、単一周波数ネットワークセルグループの第1のビームを介してダウンリンク情報を端末に送信する。単一周波数ネットワークセルグループは、少なくとも二つのセルを含み、少なくとも二つのセルは、少なくとも二つのビーム伝送をサポートする第1のセルを含み、第1のビームは、前記第1のセルによってサポートされたビームのうちの一つである。
2021536194.tif 000002
【特許請求の範囲】
【請求項１】
単一周波数ネットワークセルグループの第１のビームを介して端末にダウンリンク情報を送信するステップであって、前記単一周波数ネットワークセルグループが少なくとも二つのセルを含み、前記少なくとも二つのセルが少なくとも二つのビーム送信をサポートする第１のセルを含み、第１のビームが第１のセルによってサポートされたビームの１つである、ステップを含む、ネットワークデバイスに適用される情報送信方法。
【請求項２】
単一周波数ネットワークセルグループの第１のビームを介してダウンリンク情報を端末に送信するステップは、
異なる伝送周期内で、前記単一周波数ネットワークセルグループの第１のビームを介して端末にダウンリンク情報を送信するステップを含む、請求項１に記載の情報送信方法。
【請求項３】
前記ダウンリンク情報が伝送周期の単位で繰り返し送信される、又は、前記ダウンリンク情報が異なる伝送周期内の第１のビームを介して共同で送信される、請求項２に記載の情報送信方法。
【請求項４】
前記ダウンリンク情報が直交周波数分割多重（ＯＦＤＭ）方式を使用して送信され、且つ前記ＯＦＤＭ方式がエクステンドサイクリックプレフィックスＣＰ又はノーマルＣＰを使用する、請求項１に記載の情報送信方法。
【請求項５】
前記ダウンリンク情報は、単一周波数ネットワークセルグループに対応する専用帯域幅パートＢＷＰを介して送信される、請求項１に記載の情報送信方法。
【請求項６】
前記単一周波数ネットワークセルグループに対応する専用ＢＷＰ上に端末を配置するステップ、
又は、
セルに対応するＢＷＰ上に端末を配置するステップをさらに含む、請求項５に記載の情報送信方法。
【請求項７】
前記ダウンリンク情報は、同期信号ブロックＳＳＢ、ペーシング信号、ウェイクアップ信号ＷＵＳ、スリープ信号ＧＴＳ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む、請求項１に記載の情報送信方法。
【請求項８】
前記ダウンリンク情報の伝送フォーマット関連情報がセル専用情報を介して配置されるステップ、又は前記伝送フォーマット関連情報が単一周波数ネットワークセルグループ専用情報を介して配置されるステップ、又は、前記伝送フォーマット関連情報が事前定義されているステップであって、ここで、前記伝送フォーマット関連情報は、伝送周期、パラメータセットＮｕｍｅｒｏｌｏｇｙ、ビームの数、及び時間・周波数領域リソースのうちの少なくとも１つを含む、請求項１又は７に記載の情報送信方法。
【請求項９】
前記端末は、前記ＳＳＢ、ＣＳＩ−ＲＳ、及びＤＭＲＳのうちの少なくとも１つを介して、無線リソース管理ＲＲＭの測定及び/又は無線リンク監視ＲＬＭの測定を実施するように配置されることをさらに含む、請求項７に記載の情報送信方法。
【請求項１０】
前記単一周波数ネットワークセルグループ内のセルは、トラッキングエリアＴＡ内のセル、ＴＡリスト内のセル、又は無線アクセスネットワークによる通知エリア内のセルを含む、請求項１に記載の情報送信方法。
【請求項１１】
単一周波数ネットワークセルグループの第１のビームを介してダウンリンク情報を端末に送信するステップの前に、
前記端末のために前記単一周波数ネットワークセルグループの、単一周波数ネットワークセルグループ識別子と単一周波数ネットワークセルグループ周波数ポイントと同期信号ブロックパターンのうちの少なくとも１つを含むグループ関連情報を配置するステップ、をさらに含む、請求項１に記載の情報送信方法。
【請求項１２】
単一周波数ネットワークセルグループの第１のビームを介してダウンリンク情報を受信するステップであって、前記単一周波数ネットワークセルグループが少なくとも二つのセルを含み、前記少なくとも二つのセルが少なくとも二つのビーム送信をサポートする第１のセルを含み、前記第１のビームが第１のセルによってサポートされたビームの１つである、ステップを含む、端末に適用される情報送信方法。
【請求項１３】
単一周波数ネットワークセルグループの第１のビームを介してダウンリンク情報を受信するステップは、
異なる伝送周期内で、前記単一周波数ネットワークセルグループの第１のビームを介してダウンリンク情報を受信するステップを含む、請求項１２に記載の情報送信方法。
【請求項１４】
異なる伝送周期内で、前記単一周波数ネットワークセルグループの第１のビームを介してダウンリンク情報を受信するステップの後、
異なる伝送周期に受信したダウンリンク情報を統合し、前記ダウンリンク情報を取得するステップと、 
又は、
同期伝送時間帯に受信したダウンリンク情報をカスケードしてチャネルデコードして、前記ダウンリンク情報を取得するステップ、をさらに含む、請求項１３に記載の情報送信方法。
【請求項１５】
前記ダウンリンク情報は直交周波数分割多重ＯＦＤＭ方式で送信され、且つ前記ＯＦＤＭ方法がエクステンドサイクリックプレフィックスＣＰを使用する、請求項１２に記載の情報送信方法。
【請求項１６】
前記ダウンリンク情報が、前記単一周波数ネットワークセルグループに対応する専用帯域幅パートＢＷＰを介して受信される、請求項１２に記載の情報送信方法。
【請求項１７】
単一周波数ネットワークセルグループ内のセルの第１のビームを介してダウンリンク情報を受信するステップの前に、
ネットワークデバイスの配置に従って、専用帯域幅パートＢＷＰをアクティブ又は非アクティブするステップ、をさらに含む、請求項１６に記載の情報送信方法。
【請求項１８】
前記ダウンリンク情報が、同期信号ブロックＳＳＢ、ペーシング信号、ウェイクアップ信号ＷＵＳ、スリープ信号ＧＴＳ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む、請求項１２に記載の情報送信方法。
【請求項１９】
前記ダウンリンク情報の伝送フォーマット関連情報が、伝送周期、パラメータセットＮｕｍｅｒｏｌｏｇｙ、ビームの数、及び時間周波数領域リソースのうちの少なくとも１つを含む、請求項１２又は１８に記載の情報送信方法。
【請求項２０】
前記ＳＳＢ、ＣＳＩ−ＲＳ、及びＤＭＲＳのうちの少なくとも１つを使用して、無線リソース管理ＲＲＭの測定及び/又は無線リンク監視ＲＬＭの測定を実施することをさらに含む、請求項１８に記載の情報送信方法。
【請求項２１】
前記端末が、単一周波数ネットワークセルグループ内を移動するとき、セル再選択又はセル切替を実行しない、請求項１２に記載の情報送信方法。
【請求項２２】
前記端末が、異なる単一周波数ネットワークセルグループ間を移動するとき、単一周波数ネットワークセルグループの再選択又は単一周波数ネットワークセルグループの切替を実行する、請求項１２に記載の情報送信方法。
【請求項２３】
単一周波数ネットワークセルグループの第１のビームを介してダウンリンク情報を受信するステップの前に、セルにアクセスするように、
セルに対応するＳＳＢを検索して同期させるステップと、
セルに対応するＰＢＣＨを介して報知情報を読み取るステップと、
セルに対応するＳＩＢを介してシステム情報を読み取るステップとを実行することを含み、前記セルは、前記単一周波数ネットワークセルグループに含まれるセルである、請求項１２に記載の情報送信方法。
【請求項２４】
前記端末がアイドル状態又は非アクティブ状態である場合、前記単一周波数ネットワークセルグループにアクセスするステップ、
又は、
送信対象のデータ量がしきい値より少ない場合、前記単一周波数ネットワークセルグループにアクセスするステップをさらに含む、請求項１２に記載の情報送信方法。
【請求項２５】
前記端末が接続状態である場合、セルにアクセスするステップ、
又は、
送信対象のデータ量がしきい値よりも多い場合、セルにアクセスするステップをさらに含み、
前記セルは、前記単一周波数ネットワークセルグループに含まれるセルである、請求項２４に記載の情報送信方法。
【請求項２６】
前記単一周波数ネットワークセルグループの無線リソース管理ＲＲＭの測定期間は、セルのＲＲＭ測定期間以上であって、前記セルが前記単一周波数ネットワークセルグループに含まれるセルである、請求項１又は１２に記載の情報送信方法。
【請求項２７】
前記単一周波数ネットワークセルグループは、専用ビーム管理及び/又は専用ビームの故障回復をサポートする、請求項１又は１２に記載の情報送信方法。
【請求項２８】
前記単一周波数ネットワークセルグループに対応するＳＳＢの同期ラスターは、１つのセルに対応するＳＳＢの同期ラスターとは異なる、請求項１又は１２に記載の情報送信方法。
【請求項２９】
前記単一周波数ネットワークセルグループのＳＳＢ、ＣＳＩ−ＲＳ、及びＤＭＲＳのうちの少なくとも１つは、前記単一周波数ネットワークセルグループ専用の生成シーケンス、及び/又はスクランブルシーケンスを有する、請求項１又は１２に記載の情報送信方法。
【請求項３０】
前記単一周波数ネットワークセルグループの信号品質は、単一周波数ネットワークセルグループのビーム検出に基づいて決定される、請求項１又は１２に記載の情報送信方法。
【請求項３１】
単一周波数ネットワークセルグループの第１のビームを介してダウンリンク情報を端末に送信するように構成される第１の送信モジュールであって、単一周波数ネットワークセルグループは、少なくとも二つのセルを含み、前記少なくとも二つのセルは、少なくとも二つのビーム伝送をサポートする第１のセルを含み、前記第１のビームは、前記第１のセルによってサポートされたビームのうちの１つであるように構成される第１の送信モジュールを含む、ネットワークデバイス。
【請求項３２】
プロセッサと、メモリと、及びメモリに格納され且つプロセッサ上で実行されるプログラムを含むネットワークデバイスであって、前記プロセッサは、前記プロセッサによって実行されるときに請求項１乃至１１、２６乃至３０のいずれか１項に記載の情報送信方法のステップを実現する、
ネットワークデバイス。
【請求項３３】
単一周波数ネットワークセルグループの第１のビームを介してダウンリンク情報を受信するように構成される第１の受信モジュールであって、前記単一周波数ネットワークセルグループは、少なくとも二つのセルを含み、前記少なくとも二つのセルは、少なくとも二つのビーム伝送をサポートする第１のセルを含み、前記第１のビームは、前記第１のセルによってサポートされたビームのうちの１つであるように構成される第１の受信モジュールを含む、端末。
【請求項３４】
プロセッサと、メモリと、及びメモリに収納され且つプロセッサ上で実行されるコンピュータプログラムとを含む端末であって、前記コンピュータプログラムがプロセッサによって実行されるときに請求項１２乃至３０のいずれか一項に記載の情報送信方法のステップを実現する、
端末。
【請求項３５】
プログラムが記憶されたコンピュータ読み取り可能な記憶媒体であって、前記プログラムは、プロセッサによって実行されるときに請求項１乃至３０のいずれか一項に記載の情報送信方法のステップを実現する、
記憶媒体。
【発明の詳細な説明】
【技術分野】
【０００１】
本発明は、通信技術の分野に関し、特に、情報伝送方法、ネットワークデバイス及び端末に関する。
【背景技術】
【０００２】
第５世代（５ｔｈ Ｇｅｎｅｒａｔｉｏｎ、５Ｇ）移動通信システムでは、ダウンリンク伝送速度２０Ｇｂｐｓ、アップリンク伝送速度１０Ｇｂｐｓの目標を達成するために、高周波通信とマッシブマイモ技術が導入されている。高周波通信は、より広いシステム帯域幅を提供でき、アンテナサイズもより小さくできるため、ネットワークデバイスや端末（Ｕｓｅｒ Ｅｑｕｉｐｍｅｎｔ、 ＵＥ）にマッシブマイモを配置するのに有利である。ネットワークデバイス側はマルチビーム（Ｍｕｌｉｔ−ｂｅａｍ）/複数送受信ポイント（Ｔｒａｎｓｍｉｔ Ｒｅｃｅｖｉｅ Ｐｏｉｎｔ、Ｍｕｌｔｉ−ＴＲＰ）の送受信をサポートすることができ、端末側もＭｕｌｉｔ−ｂｅａｍの送受信をサポートすることができる。
【０００３】
各セルは複数のナロービームを介して信号を送信することができ、複数のビームの送信は時分割であり得、各ビームはセルのある方向をカバーするができる。ある時刻で１つのナロービームを介して送信するゲインは、ワイドビーム（セル全体をカバーするビームなど）を介して送信するのに比べて、約９ｄＢ（８倍）である。ただし、シングルセルマルチビームの送信方式では、端末はセルの間で頻繁にセルを再選択する必要がある。
【０００４】
しかしながら、単一周波数ネットワーク（Ｓｉｎｇｌｅ−Ｆｒｅｑｕｅｎｃｙ Ｎｅｔｗｏｒｋ、 ＳＦＮ）の伝送方式では、複数のセル又は複数の送信ポイントが同じ信号を送信し、異なるセル間に同一周波数の干渉がなく、複数の信号によって信号対干渉プラスノイズ比（Ｓｉｇｎａｌ ｔｏ Ｉｎｔｅｒｆｅｒｅｎｃｅ ｐｌｕｓ Ｎｏｉｓｅ Ｒａｔｉｏ、ＳＩＮＲ）、伝送品質及びカバレッジ効果を高めることができる。複数のセルはＳＦＮ伝送方式で信号を送信することができ、各セルはワイドビームで送信し、端末はある時刻で複数のセルから送信されたワイドビームを受信し、ダイバーシティゲインを取得することができる。端末が受信した最も強いセルは、一般的に３つであり、仮に３つのセルの信号強度が等しいとすれば、受信した３つのセルの信号エネルギーは受信した単一セルの信号エネルギーの３倍であり、約４ｄＢゲインとなる。ＳＦＮ伝送方式では、端末がセル間で頻繁にセルを再選択する必要がないが、この方式の伝送ゲインはナロービーム伝送方式よりも低く、カバレッジの問題がある。
【発明の概要】
【発明が解決しようとする課題】
【０００５】
本発明の実施例は、情報伝送中の低い伝送ゲイン又は頻繁なセル再選択という欠点を解消するために、情報伝送方法、ネットワークデバイス、及び端末を提供する。
【課題を解決するための手段】
【０００６】
第１の態様では、本発明の実施例は、ネットワークデバイスに適用される情報伝送方法を提供しており、以下を含む。
【０００７】
単一周波数ネットワークセルグループの第１のビームを介してダウンリンク情報を端末に送信する。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つである。
【０００８】
第２の態様では、本発明の実施例は、端末に適用される情報伝送方法をさらに提供しており、以下を含む。
【０００９】
単一周波数ネットワークセルグループの第１のビームを介してダウンリンク情報を受信する。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つである。
【００１０】
第３の態様では、本発明の実施例は、ネットワークデバイスを提供しており、以下を含む。
【００１１】
第１の送信モジュールは、単一周波数ネットワークセルグループの第１のビームを介してダウンリンク情報を端末に送信するように構成される。ここで、単一周波数ネットワークセルグループは、少なくとも二つのセルを含み、少なくとも二つのセルは、少なくとも二つのビーム伝送をサポートする第１のビームを含み、第１のビームは第１のセルによってサポートされたビームの１つである。
【００１２】
第４の態様では、本発明の実施例は、プロセッサと、メモリと、及びメモリに格納され且つプロセッサ上で実行されたプログラムとを含むネットワークデバイスを提供しており、このプログラムは、プロセッサによって実行されるとき、上記の情報送信方法のステップ を実現する。
【００１３】
第５の態様では、本発明の実施例は、単一周波数ネットワークセルグループの第１のビームを介してダウンリンク情報を受信するように構成される第１の受信モジュールを含む端末を提供しており、ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つである。
【００１４】
第６の態様では、本発明の実施例は、プロセッサと、メモリと、及びメモリに格納され且つプロセッサ上で実行されたプログラムとを含む端末をさらに提供しており、このプログラムは、プロセッサによって実行されるとき、上記の情報伝送方法のステップを実現する。
【００１５】
第７の態様では、本発明の実施例は、プログラムが記憶されたコンピュータ読み取り可能な記憶媒体を提供しており、このプログラムは、プロセッサによって実行されるとき、前述の情報伝送方法のステップを実現する。
【発明の効果】
【００１６】
このように、本発明の実施例は、単一周波数ネットワークセルグループ内の複数のセルを介して情報を伝送することによって、単一周波数ネットワークのゲインを取得し、ネットワークカバレッジを高めることができると同時に、セル再選択の回数を減らすこともでき、また、複数のセルによってサポートされた複数のビームの第１のビームを介して情報を伝送することによって、ナロービームゲインを取得し、ネットワークカバレッジをさらに高めることができる。
【図面の簡単な説明】
【００１７】
【図１】本発明の実施例が応用される移動通信システムのブロック図である。
【図２】本発明の実施例に係わるネットワークデバイスの情報伝送方法の流れを示す図である。
【図３】本発明の実施例に係わるＴＡリストのセルカバレッジを示す図である。
【図４】本発明の実施例に係わるネットワークデバイスのモジュール構造を示す図である。
【図５】本発明の実施例に係わるネットワークデバイスのブロック図である。
【図６】本発明の実施例に関わる端末の情報伝送方法の流れを示す図である。
【図７】本発明の実施例に係わる端末のモジュール構造を示す図である。
【図８】本発明の実施例に係わる端末のブロック図である。
【発明を実施するための形態】
【００１８】
本発明の実施例における技術的なソリューションについて、さらに明確に説明するために、以降では、本発明の実施例の記載のために必要とされる添付の図面について簡単に説明する。明らかに、以降の説明における添付の図面は、本発明のいくつかの実施例を示しているにすぎず、当業者なら、それでもなお、創造的な努力を伴わずにこれらの添付の図面からその他の図面を導き出し得る。
【００１９】
以下、本発明の例示的な実施例を、添付の図面を参照してより詳細に説明する。本発明の例示的な実施例が図面に示されているが、本発明は様々な形態で実施することができ、本明細書に記載の実施例によって限定されるべきではないことを理解されたい。むしろ、これらの実施例は、本発明をより徹底的に理解するよう、本発明の範囲を当業者に完全的に伝える用途で提供される。
【００２０】
本出願の明細書及び特許請求の範囲においては、「第１の」、「第２の」などの用語は、類似しているオブジェクトを区別するために使用されており、必ずしも特定のシーケンス又は順序を記載するために使用されているとは限らない。そのような方法で呼ばれているデータは、適切な状況において交換可能であり、それによって、本出願において記載されている本発明の実施例は、本明細書において示されている又は記載されている順序以外の順序で実施されることが可能であるということを理解されたい。また、「含む」、「有する」という用語、及びその他の任意の変形は、非排他的な包含をカバーすることを意図しており、例えば、ステップ又はユニットのリストを含むプロセス、方法、システム、製品、又はデバイスは、明示的にリストアップされているステップ又はユニットに必ずしも限定されず、明示的にリストアップされてはいない、又はそのようなプロセス、方法、システム、製品、もしくはデバイスに専用のその他のユニットを含み得る。明細書及び請求項中の「及び/又は」は、接続されたオブジェクトの少なくともそのうちの１つを意味する。
【００２１】
本明細書に記載された技術は、ロングタームエボリューション（Ｌｏｎｇ Ｔｉｍｅ Ｅｖｏｌｕｔｉｏｎ、ＬＴＥ）/ＬＴＥのアドバンスト（ＬＴＥ−Ａｄｖａｎｃｅｄ、ＬＴＥ−Ａ）システムに限定されるものではなく、符号分割多元接続 （Ｃｏｄｅ Ｄｉｖｉｓｉｏｎ Ｍｕｌｔｉｐｌｅ Ａｃｃｅｓｓ、ＣＤＭＡ）、時分割多元接続（Ｔｉｍｅ Ｄｉｖｉｓｉｏｎ Ｍｕｌｔｉｐｌｅ Ａｃｃｅｓｓ、ＴＤＭＡ）、周波数分割多元接続（Ｆｒｅｑｕｅｎｃｙ Ｄｉｖｉｓｉｏｎ Ｍｕｌｔｉｐｌｅ Ａｃｃｅｓｓ、ＦＤＭＡ）、直交周波数分割多元接続（Ｏｒｔｈｏｇｏｎａｌ Ｆｒｅｑｕｅｎｃｙ Ｄｉｖｉｓｉｏｎ Ｍｕｌｔｉｐｌｅ Ａｃｃｅｓｓ、ＯＦＤＭＡ）、シングルキャリア周波数分割多元接続（Ｓｉｎｇｌｅ−ｃａｒｒｉｅｒ Ｆｒｅｑｕｅｎｃｙ−Ｄｉｖｉｓｉｏｎ Ｍｕｌｔｉｐｌｅ Ａｃｃｅｓｓ、ＳＣ−ＦＤＭＡ）、及び他のシステムのような様々な無線通信システムにも使用されることができる。「システム」及び「ネットワーク」という用語は、しばしば交換可能に使用される。本明細書に記載された技術は、前述システム及び無線技術のためにも、他のシステム及び無線技術のためにも使用され得る。ただし、以下の説明では、新しい無線方式（Ｎｅｗ Ｒａｄｉｏ、ＮＲ）システムを例示的に説明し、これらの技術は、ＮＲシステムアプリケーション以外のアプリケーションにも適用可能であるが、ＮＲシステムを例にして説明するために、以下の説明の大部分でＮＲ用語を使用する。
【００２２】
以下例示の説明は、特許請求の範囲、適用性、又は配置を限定するものではない。本発明の精神及び範囲から逸脱することなく、議論された素子の機能及び配置に変更を加えることができる。様々な例では、各種規程又はコンポーネントを適宜に省略、置換、又は追加することができる。例えば、記載された方法は、記載されたものとは異なる順序で実行され得、そして様々なステップが追加され、省略され、又は組み合わされ得る。なお、特定の例を参照して説明されている特徴は、他の例で組み合わせることができる。
【００２３】
本発明の実施例が適用される無線通信システムのブロック図を示している図１を参照してください。無線通信システムは、ネットワークデバイス０１及び端末０２を含む。その中で、ネットワークデバイス０１は、５Ｇ及びそれ以降のバージョン（例えば、ｇＮＢ、５Ｇ ＮＲ ＮＢなど）の基地局/他の通信システムにおける基地局（例えば、ｅＮＢ、ＷＬＡＮアクセスポイント、又は他のアクセスポイントなど）又はコアネットワークであってもよく、同じ技術的効果が達成されれば、基地局は特定の技術用語に限定されるものではなく、ノードＢ、進化型ノードＢ、アクセスポイント、ベーストランシーバ基地局（Ｂａｓｅ Ｔｒａｎｓｃｅｉｖｅｒ Ｓｔａｔｉｏｎ、ＢＴＳ）、無線基地局、無線トランシーバ、基本サービスセット（Ｂａｓｉｃ Ｓｅｒｖｉｃｅ Ｓｅｔ、ＢＳＳ）、拡張サービスセット（Ｅｘｔｅｎｄｅｄ Ｓｅｒｖｉｃｅ Ｓｅｔ、ＥＳＳ）、Ｂノード、進化型Ｂノード（ｅＮＢ）、ホームＢノード、ホーム進化型Ｂノード、ＷＬＡＮアクセスポイント、ＷｉＦｉノード、又は当該分野における他の適切な用語と称されることができ、本発明の実施例では、基地局又はＮＲシステムにおける送受信ポイント（ＴＲＰ）のみが例示されているが、基地局の特定のタイプを限定するものではないことに留意されたい。端末０２は、端末デバイス又はユーザ端末（Ｕｓｅｒ Ｅｑｕｉｐｍｅｎｔ、ＵＥ）と呼ぶこともでき、携帯電話、タブレットパソコン（Ｔａｂｌｅｔ Ｐｅｒｓｏｎａｌ Ｃｏｍｐｕｔｅｒ）、ラップトップコンピュータ（Ｌａｐｔｏｐ Ｃｏｍｐｕｔｅｒ）、携帯情報端末（Ｐｅｒｓｏｎａｌ Ｄｉｇｉｔａｌ Ａｓｓｉｓｔａｎｔ、ＰＤＡ）、モバイルインターネットデバイス（Ｍｏｂｉｌｅ Ｉｎｔｅｒｎｅｔ Ｄｅｖｉｃｅ、ＭＩＤ）、ウエアラブル端末（Ｗｅａｒａｂｌｅ Ｄｅｖｉｃｅ）、又は車載デバイスなどの端末側デバイスであってもよく、本発明の実施例では、端末０２の具体的なタイプを限定するものではないことに留意されたい。
【００２４】
基地局は、基地局コントローラの制御の下で端末０２と通信することができ、様々な例では、基地局コントローラは、コアネットワーク又はいくつかの基地局の一部であり得る。一部の基地局は、バックホールを介してコアネットワークと制御情報又はユーザデータの通信を行うことができる。いくつかの例では、これらの基地局の一部は、有線又は無線通信リンクであり得るバックホールリンクを介して、互いに直接又は間接的に通信することができる。無線通信システムは、複数のキャリア（異なる周波数の波形信号）上での動作をサポートすることができる。複数キャリア送信機は、これらの複数のキャリア上で変調信号を同時に送信することができる。例えば、各通信リンクは、様々な無線技術に従って変調された複数キャリア信号であり得る。各変調された信号は、異なるキャリア上で送信され、制御情報（例えば、参照信号、制御チャネルなど）、オーバーヘッド情報、データなどを搬送することができる。
【００２５】
基地局は、１つ以上のアクセスポイントアンテナを介して端末０２と無線通信することができる。各基地局は、それぞれの対応するカバレッジエリアのために通信カバレッジを提供することができる。アクセスポイントのカバレッジエリアは、カバレッジエリアの一部のみを配置するセクタに分割されることができる。無線通信システムは、異なるタイプの基地局（例えば、マクロ基地局、マイクロ基地局、又はピコ基地局）を含み得る。基地局は、セルラー又はＷＬＡＮ無線アクセス技術のような異なる無線技術を利用することもできる。基地局は、同じアクセスネットワーク又は異なるアクセスネットワーク又は事業者の配置に関連付けることができる。異なる基地局のカバレッジエリア（同じ又は異なるタイプの基地局のカバレッジエリア、同じ又は異なる無線技術を利用するカバレッジエリア、又は同じ又は異なるアクセスネットワークに属するカバレッジエリアを含む）は、重複することができる。
【００２６】
無線通信システムにおける通信リンクは、アップリンク（Ｕｐｌｉｎｋ、ＵＬ）伝送（例えば、端末０２からネットワークデバイス０１へ）を保持するためのアップリンク、又はダウンリンク（Ｄｏｗｎｌｉｎｋ、ＤＬ）伝送（例えば、ネットワークデバイス０１から端末０２へ）を保持するためのダウンリンクを含み得る。ＵＬ伝送は逆方向リンク伝送とも呼ばれ、ＤＬ伝送は順方向リンク伝送とも呼ばれる。
【００２７】
図１に示すシーンでは、ネットワークデバイス０１と端末０２との間で、空間領域伝送フィルタによって形成されたアンテナビームを介して信号伝送を実現する。図１を例にとると、仮にネットワークデバイス０１はＮ個のビームを形成するために各１つの空間領域送信フィルタを含むＮ個の送受信ポイント（Ｔｒａｎｓｍｉｔ Ｒｅｃｅｖｉｅ Ｐｏｉｎｔ、ＴＲＰ）を含み、端末０２はＭ個のビームを形成するためにＭ個の空間領域送信フィルタを含むとすれば、ネットワークデバイス０１と端末０２の両方は、複数のビームを含むことができ、ここで、Ｎ、Ｍはいずれも１より大きい整数である。ＮとＭは同じであっても異なっていてもよく、本出願では限定しない。
【００２８】
本発明の実施例は、ネットワークデバイスに適用される情報伝送方法を提供しており、図２に示すように、
【００２９】
単一周波数ネットワークセルグループの第１のビームを介してダウンリンク情報を端末に送信する構成されるステップ２１であって、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つであるように構成されるステップ２１を含む。
【００３０】
本発明の実施例では、単一周波数ネットワークセルグループ（ＳＦＮ ｃｅｌｌ ｇｒｏｕｐ）は、複数のセルを含み、ＳＦＮ ｃｅｌｌ ｇｒｏｕｐに含まれるセルは、ネットワークデバイスによって配置することができ、例えば、ネットワークデバイスが、ＳＦＮ ｃｅｌｌ ｇｒｏｕｐ内のセルの数及びセル識別子を配置することができ 、これらのセルには、複数のビームをサポートする第１のセルを含み、その中で、マルチビーム伝送をサポートする単一周波数ネットワークセルグループ内のすべてのセルは何れも第１のセルと呼ばれ、第１のセルの数は１つ以上であり得る。第１のビームは、単一周波数ネットワークセルグループ内のセルによってサポートされたビームの１つであり得る。単一周波数ネットワークセルグループに含まれるセルは、同じ数のビームをサポートするセルであり得ることに留意されたい。例えば、単一周波数ネットワークセルグループのすべてのセルが２つのビームをサポートする場合、単一周波数ネットワークセルグループのすべてのセルは第１のセルであり、第１のビームは第１のセルによってサポートされたビームの１つである。単一周波数ネットワークセルグループに含まれるセルは、また、異なる数のビームをサポートするセルであり得る。例えば、単一周波数ネットワークセルグループの一部のセルが２つのビームをサポートする場合、第１のビームは第１のセルによってサポートされた２つのビームの１つであり、 残りのセルは１つのビームをサポートし、第１のビームは、また、残りのセルによってサポートされたビームであり得る。
【００３１】
単一周波数ネットワークセルグループ内のセルのビームは、時分割方式で伝送する。例えば、単一周波数ネットワークセルグループにはセル１とセル２を含み、セル１とセル２の何れもビーム１とビーム２をサポートする。この場合、時刻Ｔ１で、セル１とセル２の何れもビーム１を介して伝送し、時刻Ｔ２で、セル１とセル２の何れもビーム２を伝送する。すなわち、時刻Ｔ１では、単一周波数ネットワークセルグループのすべてのセルがビーム１を介して送信し、時間Ｔ２では、単一周波数ネットワークセルグループのすべてのセルがビーム２を介して送信する。各セルがより多くのビームをサポートする場合、例えば、４つのビームをサポートする場合、時刻Ｔ１では、単一周波数ネットワークセルグループのすべてのセルがビーム１を介して送信し、時刻Ｔ２では、単一周波数ネットワークセルグループのすべてのセルがビーム２を介して送信し、時刻Ｔ３では、単一周波数ネットワークセルグループのすべてのセルがビーム３を介して送信し、時刻Ｔ４では、単一周波数ネットワークセルグループのすべてのセルがビーム４を介して送信する、などとなる。又は、単一周波数ネットワークセルグループにはセル１とセル２を含み、セル１が１つのビーム（ビーム１）をサポートし、セル２がビーム１とビーム２の両方をサポートする場合、時刻Ｔ１でセル１とセル２の両方がそれぞれのビーム１を介して伝送し、時刻Ｔ２でセル１が対応するビーム１を介して伝送し、セル２が対応するビーム２を介して伝送する。又は、単一周波数ネットワークセルグループには、セル１とセル２を含み、セル１がビーム１とビーム２の両方をサポートし、セル２がビーム１、ビーム２、ビーム３、及びビーム４をサポートする場合、時刻Ｔ１でセル１とセル２の両方がそれぞれのビーム１を介して伝送し、時刻Ｔ２でセル１が対応するビーム１を介して伝送し、セル２が対応するビーム２を介して伝送し、時刻 T３でセル１が対応するビーム２を介して伝送し、セル２が対応するビーム３を介して伝送し、時刻Ｔ４でセル１が対応するビーム２を介して伝送し、セル２が対応するビーム４を介して伝送する。本実施例に記載のビーム１、ビーム２、ビーム３、及びビーム４は、ビーム番号のみであり、異なるセルが同じ番号を有するビームのビーム方向は異なることができ、例えば、セル１がビーム１のみをサポートする場合、ビーム１は全方向性ビームであり、セル１がビーム１とビーム２の両方をサポートする場合、ビーム１とビーム２は両方とも狭帯域ビームである。
【００３２】
本発明の実施例では、ステップ２１は、異なる伝送時間帯において、単一周波数ネットワークセルグループの第１のビームを介して端末にダウンリンク情報を送信する。ここで記載した異なる伝送時間帯は、第１のビームに対応する異なる伝送時間帯をいう。例えば、時刻Ｔ１でビーム１を送信し、時刻Ｔ２でビーム２を送信し、時刻Ｔ３でビーム１を送信し、時刻Ｔ４でビーム２を送信し、ビーム１に対応する異なる伝送時間帯はT１とT３を指し、ビーム２に対応する異なる伝送時間帯はT２とT４を指す。
【００３３】
さらに、ダウンリンク情報は、伝送時間帯の単位で繰り返し送信される。すなわち、ネットワークデバイスは、時間的に信号を繰り返し送信することをサポートできる。例えば、各ダウンリンク情報は、同じビームでの複数の時刻で繰り返し送信され、対応する端末は複数の時刻でこのビーム信号の統合受信を実行することができる。例えば、時刻Ｔ１と時刻Ｔ３で、ビーム１を介してダウンリンク情報を繰り返し送信する。又は、ダウンリンク情報は、異なる伝送時間帯内の第１のビームを介して共同で送信される。具体的には、ダウンリンク情報をチャネルコーディング及びレートマッチングにすることで、送信対象のビットシーケンスを取得し、ビットシーケンスを複数のビットサブシーケンスに分割し、異なる伝送時間帯の第１のビームを介して送信する。例えば、ダウンリンク情報のビットシーケンスは二つのビットサブシーケンスに分割され、時刻Ｔ１と時刻Ｔ３でビーム１を介して共同でこの２つのビットサブシーケンスを送信する。
【００３４】
本発明の実施例では、ダウンリンク情報は、エクステンドサイクリックプレフィックス（Ｃｙｃｌｉｃ Ｐｒｅｆｉｘ、ＣＰ）又はノーマルＣＰを使用する直交波周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ）方式で送信される。ダウンリンク情報は、より大きなマルチパス遅延時間拡張に対抗するために、エクステンドＣＰを採用したＯＦＤＭ方式で送信される。
【００３５】
本発明の実施例におけるダウンリンク情報は、ダウンイニシャルＢＷＰ（Ｄｏｗｎｌｉｎｋ Ｉｎｉｔｉａｌ ＢＷＰ）などの、単一周波数ネットワークセルグループに対応する専用帯域幅パート（Ｂａｎｄｗｉｄｔｈ Ｐａｒｔ、ＢＷＰ）を介して送信される。さらに、ネットワークデバイスは、端末を、単一周波数ネットワークセルグループに対応する専用のＢＷＰ上に配置するか又はセルが対応するＢＷＰ上に配置することができる。相互に切り替えることができ、例えば、ネットワークデバイスは、端末を単一周波数ネットワークセルグループの専用ＢＷＰからセルのＢＷＰに、又はその逆に切り替えることができ、詳細がここで再び記述されることはない。
【００３６】
本発明の実施例におけるダウンリンク情報は、同期信号ブロック（Ｓｙｎｃｈｒｏｎｉｚａｔｉｏｎ Ｓｉｇｎａｌ ａｎｄ ＰＢＣＨ Ｂｌｏｃｋ、ＳＳＢ）、ページング（Ｐａｇｉｎｇ）信号、ウェイクアップ信号（Ｗａｋｅ Ｕｐ Ｓｉｇｎａｌ、ＷＵＳ）、スリープ信号（Ｇｏ Ｔｏ Ｓｌｅｅｐ Ｓｉｇｎａｌ、ＧＴＳ Ｓｉｇｎａｌ）、物理報知チャネル（Ｐｈｙｓｉｃａｌ Ｂｒｏａｄｃａｓｔ Ｃｈａｎｎｅｌ、ＰＢＣＨ）、復調用参照信号（Ｄｅ−Ｍｏｄｕｌａｔｉｏｎ Ｒｅｆｅｒｅｎｃｅ Ｓｉｇｎａｌ、ＤＭＲＳ）、チャンネル状態情報参照信号（Ｃｈａｎｎｅｌ Ｓｔａｔｅ Ｉｎｆｏｒｍａｔｉｏｎ Ｒｅｆｅｒｅｎｃｅ Ｓｉｇｎａｌ、ＣＳＩ−ＲＳ）、及びシステム情報ブロック（Ｓｙｓｔｅｍ Ｍｅｓｓａｇｅ Ｂｌｏｃｋ、ＳＩＢ）において保持された情報のうちの少なくとも１つを含む。これらのダウンリンク情報は、何れもエクステンドＣＰ又はノーマルＣＰ のＯＦＤＭ方式を使用して、単一周波数ネットワークセルグループの第１のビームに対応する異なる伝送時間帯内で、繰り返し又は共同で送信することができる。
【００３７】
ダウンリンク情報の伝送フォーマット関連情報は、ｃｅｌｌ ｓｐｅｃｉｆｉｃのＰＢＣＨ、ＳＩＢ１、又は無線リソース制御（Ｒａｄｉｏ Ｒｅｓｏｕｒｃｅ Ｃｏｎｔｒｏｌ、ＲＲＣ）シグナリングなどのセル専用（ｃｅｌｌ  ｓｐｅｃｉｆｉｃ）情報を介して配置される。又は、伝送フォーマット関連情報は、ＳＦＮ ＢａｓｅｄのＰＢＣＨ、ＳＩＢ１、又はＲＲＣシグナリングなどの単一周波数ネットワークセルグループ専用（ＳＦＮ  Ｂａｓｅｄ）情報を介して配置される。又は、伝送フォーマット関連情報は、事前定義されており、例えば、プロトコル契約など。ここで記載された伝送フォーマット関連情報は、伝送周期、パラメータセット（Ｎｕｍｅｒｏｌｏｇｙ）、ビームの数、及び時間周波数領域リソースのうちの少なくとも１つを含む。パラメータセットは、サブキャリア間隔、ＯＦＤＭシンボル長さ、及びＣＰ長さのうちの少なくとも１つを含む。
【００３８】
ネットワークデバイスは、さらに、ＳＦＮセルグループ専用のＳＳＢ、ＣＳＩ−ＲＳ、及びＤＭＲＳの少なくとも１つを介して、無線リソース管理（Ｒａｄｉｏ Ｒｅｓｏｕｒｃｅ Ｍａｎａｇｅｍｅｎｔ、 ＲＲＭ）の測定及び/又は無線リンク監視（Ｒａｄｉｏ Ｌｉｎｋ Ｍｏｎｉｔｏｒｉｎｇ、 ＲＬＭ）の測定を実施するように端末用に配置することもできる。
【００３９】
さらに、単一周波数ネットワークセルグループのセルは、トラッキングエリア（Ｔｒａｃｋｉｎｇ Ａｒｅａ、 ＴＡ）のセル、ＴＡリスト（ＴＡ  ｌｉｓｔ）のセル、又は無線アクセスネットワークに基づく通知エリア（ＲＡＮ−Ｂａｓｅｄ Ｎｏｔｉｆｉｃａｔｉｏｎ Ａｒｅａ、 ＲＮＡ）のセルを含む。トラッキングエリアは、端末位置管理のためにシステムによって確立された概念である。端末がアイドル状態である場合、ネットワークデバイスは端末が属するトラッキングエリアを知ることができ、同時に、アイドル状態の端末をページングする必要がある場合、端末によって登録されたトラッキングエリアのすべてのセルでページングしなければならない。ＴＡはセルレベルの配置であり、複数のセルは同じＴＡを配置でき、且つ１つのセルが１つのＴＡのみに属する。トラッキングエリア識別子（Ｔｒａｃｋｉｎｇ Ａｒｅａ Ｉｄｅｎｔｉｔｙ、ＴＡＩ）は、パブリック ランドモバイルネットワーク（Ｐｕｂｌｉｃ Ｌａｎｄ Ｍｏｂｉｌｅ Ｎｅｔｗｏｒｋ、 ＰＬＭＮ）とトラッキングエリアコード（Ｔｒａｃｋｉｎｇ Ａｒｅａ Ｃｏｄｅ、ＴＡＣ）で構成される、即ち、ＴＡＩ = ＰＬＭＮ + ＴＡＣ。図３に示すように、複数のＴＡが１つのＴＡリストを形成し、同時に１つの端末に割り当て、端末がＴＡリスト内を移動する場合、ネットワークとの頻繁な対話を減らすためにＴＡの更新を実行する必要がなく、端末が登録されていないＴＡリスト内の新しいＴＡエリアに入る場合、ＴＡの更新を実行する必要があり、ネットワークデバイスによって端末にＴＡセットを再割り当て、新たに割り当てられたＴＡには元のＴＡリストのいくつかのＴＡを含むことができる。端末がＴＡ ｌｉｓｔ内の複数のＴＡ間を移動する場合、ＴＡの更新を実行しない。ＲＮＡで覆われたセル集合は、１つのＴＡ又はＴＡリストを構成するセル集合の部分集合であり得る。
【００４０】
ステップ２１の前に、単一周波数ネットワークセルグループのグループ関連情報を端末用に配置するステップをさらに備えて、このグループ関連情報は、単一周波数ネットワークセルグループ識別子、単一周波数ネットワークセルグループ周波数ポイント、及び同期信号ブロックパターン（ｐａｔｔｅｒｎ）のうちの少なくとも１つを含む。
【００４１】
端末が１つのＳＦＮ ｃｅｌｌ ｇｒｏｕｐにアクセスする場合、ＲＲＭ測定期間を緩めることができる。すなわち、単一周波数ネットワークセルグループの無線リソース管理ＲＲＭの測定期間は、セルのＲＲＭ測定期間以上である。ここで、セルは単一周波数ネットワークセルグループに含まれるセルである。
【００４２】
単一周波数ネットワークセルグループは、専用ビーム管理（ｂｅａｍ  ｍａｎａｇｅｍｅｎｔ）及び/又は専用ビーム故障回復（Ｂｅａｍ ＦａｉｌｕｒｅＲｅｃｉｖｅｒｙ、ＢＦＲ）をサポートする。すなわち、システムは、ＳＦＮ ｃｅｌｌ ｇｒｏｕｐ ｓｐｅｃｉｆｉｃのビーム管理及び/又はビーム故障回復をサポートする。
【００４３】
単一周波数ネットワークセルグループに対応するＳＳＢの同期ラスター（ｓｙｎｃｒａｓｔｅｒ）は、１つのセルが対応するＳＳＢの同期ラスターとは異なる。すなわち、ＳＦＮ ＳＳＢの位置は、ｃｅｌｌ ＳＳＢのｓｙｎｃｒａｓｔｅｒとは異なる可能性があり、端末は、初期アクセス時にＳＦＮ ＳＳＢを検索しないことに留意されたい。
【００４４】
単一周波数ネットワークセルグループのＳＳＢ、ＣＳＩ−ＲＳ、及びＤＭＲＳのうちの少なくとも１つは、単一周波数ネットワークセルグループ専用の生成シーケンス及び/又はスクランブリングシーケンスを有する。例えば、単一周波数ネットワークセルグループのＰＢＣＨを復調するために使用されるＤＭＲＳ（ＳＦＮ  Ｂａｓｅｄ  ＤＭＲＳ）は、専用のスクランブリングフェーズ（ｓｃｒａｍｂｌｉｎｇ ｐｈａｓｅ）と生成シーケンスを有する。
【００４５】
単一周波数ネットワークセルグループの信号品質は、単一周波数ネットワークセルグループのビーム検測に基づいて端末によって決定され、例えば、ＳＦＮ ｃｅｌｌ ｇｒｏｕｐの信号品質は、単一周波数ネットワークセルグループ内の複数のビームの共同検測によって評価できる。
【００４６】
また、ネットワークデバイスは、ＳＦＮ ｃｅｌｌ ｇｒｏｕｐ ｓｐｅｃｉｆｉｃ ＢＷＰのオンとオフをさらに配置することもできる。ＳＦＮ ｃｅｌｌ ｇｒｏｕｐ ｓｐｅｃｉｆｉｃ ＢＷＰ上のＳＳＢ、ＰＢＣＨ、ＳＩＢ、Ｐａｇｉｎｇ、ＷＵＳ、及びＧＴＳのうちの少なくとも１つのオンとオフを配置する。また、ＳＦＮのＳＳＢ上に常駐するか、又はセルのＳＳＢ上に常駐するように端末を配置することもでき、両方の間で相互切替をサポートする。
【００４７】
本発明の実施例は、単一周波数ネットワークゲインを取得し、ネットワークカバレッジを高めることができると同時に、セル再選択の回数を減らすこともでき、また、ナロービームゲインを取得し、ネットワークカバレッジをさらに高めることができる。
【００４８】
上記の実施例は、それぞれ、異なるシーンにおける情報伝送方法を詳細に説明しており、以下の実施例は、添付の図面に関して、対応するネットワークデバイスをさらに説明する。
【００４９】
図４に示すように、本発明の実施例のインターネット４００は、上記の実施例における単一周波数ネットワークセルグループの第１のビームを介してダウンリンク情報を端末に送信することを実現できる。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つの方法の詳細であり、且つ同じ効果を達成する。このネットワークデバイス４００は、具体的には、以下の機能モジュールを含む。
【００５０】
第１の送信モジュール４１０は、単一周波数ネットワークセルグループの第１のビームを介してダウンリンク情報を端末に送信するように構成される。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームのうちの１つである。
【００５１】
ここで、第１の送信モジュール４１０は、異なる伝送時間帯で単一周波数ネットワークセルグループの第１のビームを介してダウンリンク情報を端末に送信するように構成される第１の送信サブモジュールを含む。
【００５２】
ダウンリンク情報は、伝送時間帯の単位で繰り返し送信され、又は、ダウンリンク情報は、異なる伝送時間帯の第１のビームを介して共同で送信される。
【００５３】
ダウンリンク情報は、エクステンドサイクリックプレフィックスＣＰ又はノーマルＣＰを使用する直交周波数分割多重ＯＦＤＭ方式で送信される。
【００５４】
ダウンリンク情報は、単一周波数ネットワークセルグループに対応する専用帯域幅パートＢＷＰを介して送信される。
【００５５】
ネットワークデバイス４００は、
単一周波数ネットワークセルグループに対応する専用ＢＷＰ上に端末を配置するように構成される第１の配置モジュール、
又は、
１つのセルに対応するＢＷＰ上に端末を配置するように構成される第２の配置モジュールをさらに含む。
【００５６】
ダウンリンク情報は、同期信号ブロックＳＳＢ、ペーシング信号、ウェイクアップ信号ＷＵＳ、スリープ信号ＧＴＳ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む。
【００５７】
ダウンリンク情報の伝送フォーマット関連情報は、セル専用の情報を介して配置され、又は、伝送フォーマット関連情報は、単一周波数ネットワークセルグループ専用の情報を介して配置され、又は、伝送フォーマット関連情報は、事前定義されている。
【００５８】
送信フォーマット関連情報は、伝送周期、パラメータセットＮｕｍｅｒｏｌｏｇｙ、ビームの数、及び時間・周波数領域リソースのうちの少なくとも１つを含む。
【００５９】
ネットワークデバイス４００は、
ＳＳＢ、ＣＳＩ−ＲＳ、及びＤＭＲＳのうちの少なくとも１つを介して無線リソース管理ＲＲＭの測定及び/又は無線リンク監視ＲＬＭの測定を実行するように端末を配置するように構成される第３の配置モジュールをさらに含む。
【００６０】
単一周波数ネットワークセルグループ内のセルは、トラッキングエリアＴＡ内のセル、ＴＡリスト内のセル、又は無線アクセスネットワークに基づく通知エリア内のセルを含む。
【００６１】
ネットワークデバイス４００は、端末の単一周波数ネットワークセルグループのグループ関連情報を配置するように構成される第４の配置モジュールであって、グループ関連情報は、単一周波数ネットワークセルグループ識別子、単一周波数ネットワークセルグループ周波数ポイント、及び同期信号ブロックパターンのうちの少なくとも１つを含むように構成される第４の配置モジュールをさらに含む。
【００６２】
単一周波数ネットワークセルグループの無線リソース管理ＲＲＭの測定期間は、セルのＲＲＭ測定期間以上である。ここで、セルは、単一周波数ネットワークセルグループに含まれるセルである。
【００６３】
単一周波数ネットワークセルグループは、専用ビーム管理及び/又は専用ビーム故障回復をサポートする。
【００６４】
単一周波数ネットワークセルグループに対応するＳＳＢの同期ラスターは、１つのセルに対応するＳＳＢの同期ラスターとは異なる。
【００６５】
単一周波数ネットワークセルグループのＳＳＢ、ＣＳＩ−ＲＳ、及びＤＭＲＳのうちの少なくとも１つは、単一周波数ネットワークセルグループ専用の生成シーケンス及び/又はスクランブリングシーケンスを有する。
【００６６】
単一周波数ネットワークセルグループの信号品質は、単一周波数ネットワークセルグループのビーム検出によって決定される。
【００６７】
本発明の実施例は、単一周波数ネットワークゲインを取得し、ネットワークカバレッジを高めることができると同時に、セル再選択の回数を減らすこともでき、また、ナロービームゲインも取得でき、ネットワークカバレッジをさらに高めることに留意されたい。
【００６８】
上記の目的をよりよく達成するために、本発明の実施例は、ネットワークデバイスをさらに提供しており、このネットワークデバイスは、プロセッサと、メモリと、及びメモリに格納され且つプロセッサ上で実行可能なコンピュータプログラムとを含む。コンピュータプログラムがプロセッサによって実行されるとき、上記の情報伝送方法のステップを実現する。本発明の実施例は、コンピュータプログラムが記憶されているコンピュータ読み取り可能な記憶媒体をさらに提供しており、コンピュータプログラムがプロセッサによって実行されるとき、上記の情報伝送方法のステップを実現する。
【００６９】
具体的には、本発明の実施例は、ネットワークデバイスをさらに提供する。図５に示すように、このインターネット機器５００は、アンテナ５１、無線周波数装置５２、及びベースバンド装置５３を含む。アンテナ５１は、無線周波数装置５２に接続されている。アップリンク方向では、無線周波数装置５２は、アンテナ５１を介して情報を受信し、受信した情報をベースバンド装置５３に送信し処理する。ダウンリンク方向では、ベースバンド装置５３が送信対象の情報を処理して無線周波数装置５２に送信し、無線周波数装置５２が受信した情報を処理してアンテナ５１を介して送信する。
【００７０】
上記の周波数帯域処理装置は、ベースバンド装置５３に配置することができ、上記実施例においてネットワーク装置によって実行される方法は、プロセッサ５４とメモリ５５とを含むベースバンド装置５３内に実現することができる。
【００７１】
ベースバンド装置５３は、例えば、少なくとも１つの複数チップが配置されるベースバンド板を含み得る。図５に示すように、その中の１つのチップは、例えば、プロセッサ５４であれば、メモリ５５に接続されて、メモリ５５内のプログラムを呼び出して、上記の方法の実施例に示されたネットワークデバイスの操作を実行する。
【００７２】
ベースバンド装置５３は、共通公衆無線インターフェース（ｃｏｍｍｏｎ ｐｕｂｌｉｃ ｒａｄｉｏ ｉｎｔｅｒｆａｃｅ、ＣＰＲＩ）のような、無線周波数装置５２と情報を交換するように構成されるネットワークインターフェース５６をさらに含み得る。
【００７３】
ここでのプロセッサは、１つのプロセッサ、又は複数の処理素子の総称であり得る。例えば、このプロセッサはＣＰＵであってもよく、ＡＳＩＣであってもよく、又は、上記のネットワークデバイスによって実行される方法を実行するための１つ以上の集積回路に配置されても構わず、例えば、１つ以上のマイクロプロセッサＤＳＰ、又は、１つ以上のフィールド・プログラマブル・ゲート・アレイＦＰＧＡなど。メモリ素子は、１つのメモリ又は複数のメモリ素子の総称であり得る。
【００７４】
メモリ５５は、揮発性メモリ又は非揮発性メモリであり得るか、又は揮発性及び非揮発性メモリの両方を含み得る。不揮発性メモリは、読み出し専用メモリ（Ｒｅａｄ−Ｏｎｌｙ Ｍｅｍｏｒｙ、ＲＯＭ）、プログラム可能読み出し専用メモリ（Ｐｒｏｇｒａｍｍａｂｌｅ ＲＯＭ、ＰＲＯＭ）、消去プログラム可能読み出し専用メモリ（Ｅｒａｓａｂｌｅ ＰＲＯＭ、 ＥＰＲＯＭ）、及び電気的消去可能プログラム可能読み出し専用メモリ（Ｅｌｅｃｔｒｉｃａｌ ＥＰＲＯＭ、 ＥＥＰＲＯＭ）又はフラッシュメモリを含むことができる。揮発性メモリは、外部キャッシュメモリとして作動するランダムアクセスメモリ（Ｒａｎｄｏｍ Ａｃｃｅｓｓ Ｍｅｍｏｒｙ、ＲＡＭ）を含むことができる。例示的な説明として、限定的な説明ではないが、ＲＡＭは多くの形態で利用でき、例えば、スタティックランダムアクセスメモリ（Ｓｔａｔｉｃ ＲＡＭ、ＳＲＡＭ）、ダイナミックＲＡＭ（Ｄｙｎａｍｉｃ ＲＡＭ、ＤＲＡＭ）、シンクロナスＤＲＡＭ（Ｓｙｎｃｈｒｏｎｏｕｓ ＤＲＡＭ、ＳＤＲＡＭ）、ダブルデータレートＳＤＲＡＭ（Ｄｏｕｂｌｅ Ｄａｔａ Ｒａｔｅ ＳＤＲＡＭ、ＤＤＲＳＤＲＡＭ）、拡張ＳＤＲＡＭ（Ｅｎｈａｎｃｅｄ ＳＤＲＡＭ、 ＥＳＤＲＡＭ）、シンクロナスリンクＤＲＡＭ（Ｓｙｎｃｈｌｉｎｋ ＤＲＡＭ,ＳＬＤＲＡＭ）及び直接ラムバスランダムアクセスメモリ（Ｄｉｒｅｃｔ Ｒａｍｂｕｓ ＲＡＭ、ＤＲＲＡＭ）がある。本発明に記載のメモリ５５は、これら及び他の任意の適切なタイプのメモリを含むが、これらに限定されない。
【００７５】
具体的には、本発明の実施例のネットワークデバイスは、メモリ５５に格納され且つプロセッサ５４上で実行可能なコンピュータプログラムをさらに含む。プロセッサ５４は、メモリ５５内のコンピュータプログラムを呼び出して、図４に示す各モジュールの実行方法を実行する。
【００７６】
具体的には、コンピュータプログラムがプロセッサ５４によって呼び出されるとき、以下を実行することができる。単一周波数ネットワークセルグループの第１のビームを介して端末にダウンリンク情報を送信する。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つである。
【００７７】
本発明の実施例のネットワークデバイスは、ＳＦＮゲインを取得し、ネットワークカバレッジを高めることができると同時に、セル再選択の回数を減らすこともでき、また、ナロービームゲインを取得し、ネットワークカバレッジをさらに高めることができる。
【００７８】
上記の実施例は、ネットワークデバイス側から本発明の情報伝送方法を説明したが、以下の実施例は、端末側の情報伝送方法を図面に関連してさらに説明する。
【００７９】
図６に示すように、本発明の実施例の情報伝送方法は、端末に適用され、以下のステップを含む。
【００８０】
ステップ６１は、単一周波数ネットワークセルグループの第１のビームを介してダウンリンク情報を受信する。単一周波数ネットワークセルグループは、少なくとも二つのセルを含み、少なくとも二つのセルは、少なくとも二つのビーム送信をサポートする第１のセルを含み、第１のビームは第１のセルでサポートされたビームの１つである。
【００８１】
単一周波数ネットワークセルグループは複数のセルを含み、これらのセルは複数のビームをサポートする第１のセルを含み、その中で、複数ビーム伝送をサポートする単一周波数ネットワークセルグループ内のすべてのセルは第１のセルと呼ばれ、セルの数は１つ以上であり得る。第１のビームは、単一周波数ネットワークセルグループ内のセルによってサポートされたビームの１つである。単一周波数ネットワークセルグループに含まれるセルは、同じ数のビームをサポートするセルであり得ることに留意されたい。単一周波数ネットワークセルグループに含まれるセルは、異なる数のビームをサポートするセルでもあり得る。単一周波数ネットワークセルグループ内のセルのビームは、時分割方式で伝送する。ここで、異なるセルが同じ番号を有するビームのビーム方向は異なることができる。
【００８２】
ステップ６１は、異なる伝送時間帯において、単一周波数ネットワークセルグループの第１のビームを介してダウンリンク情報を受信するステップを含む。ここで記載されている異なる伝送時間帯は、第１のビームに対応する異なる伝送時間帯を指す。
【００８３】
さらに、異なる伝送時間帯において、単一周波数ネットワークセルグループの第１のビームを介してダウンリンク情報を受信するステップの後、また以下を含む。
【００８４】
異なる伝送時間帯に受信したダウンリンク情報を統合し、ダウンリンク情報を取得する。この方法は、ダウンリンク情報が第１のビームに対応する少なくとも二つの伝送時間帯内で繰り返し送信されるシーンに対応する。端末は、各伝送時間帯で受信した情報を統合し、ダウンリンク情報を取得する。
【００８５】
又は、同期伝送時間帯で受信したダウンリンク情報をカスケードしてチャネルデコードして、ダウンリンク情報を取得する。この方法は、ダウンリンク情報が第１のビームに対応する少なくとも二つの伝送時間帯内で共同で送信されるシーンに対応する。端末は、各伝送時間帯で受信した情報をカスケードしてチャネルデコードして、ダウンリンク情報を取得する。
【００８６】
ダウンリンク情報は、エクステンドサイクリックプレフィックスＣＰ又はノーマルＣＰを使用する直交周波数分割多重ＯＦＤＭ方式で送信される。ダウンリンク情報は、より大きなマルチパス遅延時間拡張に対抗するために、エクステンドＣＰを採用したＯＦＤＭ方式で送信される。
【００８７】
ダウンリンク情報は、ダウンイニシャルＢＷＰなどの、単一周波数ネットワークセルグループに対応する専用帯域幅パートを介して受信される。これに対応して、ステップ６１の前に、ネットワークデバイスの配置に従って専用帯域幅パートＢＷＰをアクティブ又は非アクティブするステップをさらに含む。さらに、ネットワークデバイスは、単一周波数ネットワークセルグループに対応する専用ＢＷＰ上に端末を配置することができ、この場合、端末は専用ＢＷＰをアクティブする。又は、ネットワークデバイスは、セルに対応するＢＷＰ上に端末を配置することもでき、この場合、端末は単一周波数ネットワークセルグループの専用ＢＷＰを非アクティブする。
【００８８】
ダウンリンク情報は、同期信号ブロックＳＳＢ、ペーシング信号、ウェイクアップ信号ＷＵＳ、スリープ信号ＧＴＳ Ｓｉｇｎａｌ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む。これらのダウンリンク情報は、何れもエクステンドＣＰ又はノーマルＣＰ のＯＦＤＭ方式を使用して、単一周波数ネットワークセルグループの第１のビームに対応する異なる伝送周期内で繰り返し又は共同で伝送する。
【００８９】
ダウンリンク情報の伝送フォーマット関連情報は、伝送周期、パラメータセットＮｕｍｅｒｏｌｏｇｙ、ビームの数、及び時間・周波数領域リソースを含む。パラメータセットは、サブキャリア間隔、ＯＦＤＭシンボル長さ、ＣＰ長さなどの少なくとも１つを含む。
【００９０】
端末はＳＳＢ、ＣＳＩ−ＲＳ、及びＤＭＲＳのうちの少なくとも１つを介して無線リソース管理ＲＲＭの測定及び/又は無線リンク監視ＲＬＭの測定をさらに実行することができる。
【００９１】
端末が単一周波数ネットワークセルグループ内を移動する場合、セル再選択又はセル切替を実行しない。すなわち、端末は１つのＳＦＮ ｃｅｌｌ ｇｒｏｕｐのカバレッジ内を移動する場合、ＳＦＮ ｃｅｌｌ ｇｒｏｕｐ/ｃｅｌｌの再選択又は切替を実行する必要はない。
【００９２】
端末が異なる単一周波数ネットワークセルグループ間を移動する場合、単一周波数ネットワークセルグループの再選択又は単一周波数ネットワークセルグループの切替を実行する。すなわち、端末が異なるＳＦＮセルグループ間を移動する場合、ＳＦＮセルグループ再選択又はハ切替を実行する必要がある。
【００９３】
ステップ６１の前に、以下をさらに含む。セルにアクセスするために次のステップを実行する。セルに対応するＳＳＢを検索し同期し、セルに対応するＰＢＣＨを介して報知情報を読み取り、セルに対応するＳＩＢを介してシステム情報を読み取る。ここで、セルは、単一周波数ネットワークセルグループに含まれるセルである。これらのステップ間に厳しいタイミング要件がなく、同期をしてから報知情報を読み取るか、又はその逆を行うことができる。すなわち、端末は初期アクセス時にセルのＳＳＢを介して同期して、セルのＰＢＣＨとＳＩＢを介して報知情報とシステム情報をそれぞれ読み取る。
【００９４】
本発明の実施例の情報送信方法は、以下のステップをさらに含む。端末がアイドル状態（Ｉｄｌｅ）又は非アクティブ状態（ｉｎａｃｔｉｖｅ）である場合、単一周波数ネットワークセルグループにアクセスする。すなわち、Ｉｄｌｅ/ｉｎａｃｔｉｖｅ状態である場合、端末はＳＦＮのＳＳＢに接続し、ＳＦＮのＳＳＢを介してＲＲＭ測定、同期及びシステム情報の取得を実行することができる。又は、伝送対象のデータ量がしきい値よりも少ない場合は、単一周波数ネットワークセルグループにアクセスする。例えば、わずかのデータや非頻繁的なデータパケット（ハートビートパケットなど）などの場合、ＳＦＮ ｃｅｌｌ ｇｒｏｕｐ ｓｐｅｃｉｆｉｃ ＢＷＰを介してデータを受信又はアップロードする。
【００９５】
本発明の実施例の情報伝送方法は、以下のステップをさらに含む。端末が接続状態（ｃｏｎｎｅｃｔｅｄ）である場合、セルにアクセスする。すなわち、端末がｃｏｎｎｅｃｔｅｄ状態に入る場合、ｃｅｌｌ ｓｐｅｃｉｆｉｃ ＳＳＢを介してＲＲＭの測定、同期及びシステム情報の取得を実行する。又は、伝送対象のデータ量がしきい値よりも多い場合は、セルにアクセスする。例えば、伝送対象のデータ量が多い場合は、ｃｅｌｌ ｇｒｏｕｐ ｓｐｅｃｉｆｉｃのＢＷＰを介してビッグデータを受信又はアップロードする。ここでのセルは、単一周波数ネットワークセルグループに含まれるセルである。
【００９６】
端末が１つのＳＦＮ ｃｅｌｌ ｇｒｏｕｐにアクセスする場合、ＲＲＭ測定期間を緩めることができる。すなわち、単一周波数ネットワークセルグループの無線リソース管理ＲＲＭの測定期間は、セルのＲＲＭ測定期間以上である。ここで、セルは単一周波数ネットワークセルグループに含まれるセルである。
【００９７】
単一周波数ネットワークセルグループは、専用ビーム管理及び/又は専用ビーム故障回復をサポートする。すなわち、システムは、ＳＦＮ ｃｅｌｌ ｇｒｏｕｐ ｓｐｅｃｉｆｉｃのビーム管理及び/又はビーム故障回復をサポートする。
【００９８】
単一周波数ネットワークセルグループに対応するＳＳＢの同期ラスターは、１つのセルに対応するＳＳＢの同期ラスターとは異なる。すなわち、ＳＦＮ ＳＳＢの位置は、ｃｅｌｌ ＳＳＢの同期ラスターとは異なる可能性があり、端末は、初期アクセス時にＳＦＮ ＳＳＢを検索しないことに留意されたい。
【００９９】
単一周波数ネットワークセルグループのＳＳＢ、ＣＳＩ−ＲＳ、及びＤＭＲＳのうちの少なくとも１つは、単一周波数ネットワークセルグループ専用の生成シーケンス及び/又はスクランブリングシーケンスを有する。例えば、単一周波数ネットワークセルグループのＰＢＣＨを復調するために使用されるＤＭＲＳは、専用のスクランブリングフェーズと生成シーケンスを有する。
【０１００】
単一周波数ネットワークセルグループの信号品質は、単一周波数ネットワークセルグループのビーム検測に基づいて端末によって決定されるものであり、例えば、ＳＦＮ ｃｅｌｌ ｇｒｏｕｐの信号品質は、単一周波数ネットワークセルグループ内の複数のビームの共同検測によって評価できる。
【０１０１】
また、ネットワークデバイスは、ＳＦＮ ｃｅｌｌ ｇｒｏｕｐ ｓｐｅｃｉｆｉｃ ＢＷＰのオンとオフをさらに配置することもできる。ＳＦＮ ｃｅｌｌ ｇｒｏｕｐ ｓｐｅｃｉｆｉｃ ＢＷＰ上のＳＳＢ、ＰＢＣＨ、ＳＩＢ、Ｐａｇｉｎｇ、ＷＵＳ、及びＧＴＳ Ｓｉｇｎａｌのうちの少なくとも１つのオンとオフを配置する。また、ＳＦＮのＳＳＢ上に常駐するか、又はセルのＳＳＢ上に常駐するように端末を配置することもでき、両方の間で相互切替をサポートする。
【０１０２】
本発明の実施例は、単一周波数ネットワークゲインを取得し、ネットワークカバレッジを高めることができると同時に、セル再選択の回数を減らすこともでき、また、ナロービームゲインを取得し、ネットワークカバレッジをさらに高めることができる。
【０１０３】
上記の実施例は、異なるシーンでの情報伝送方法を説明しており、以下は、添付の図面に関してその対応する端末をさらに説明する。
【０１０４】
図７に示すように、本発明の実施例の端末７００は、前述の実施例における単一周波数ネットワークセルグループの第１のビームを介してダウンリンク情報の受信を実現することができる。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つの詳細であり、同じ効果を実現する。端末７００は、第１の受信モジュール７１０とうい機能モジュールを含む。
【０１０５】
第１の受信モジュール７１０は、単一周波数ネットワークセルグループの第１のビームを介してダウンリンク情報を受信するように構成される。単一周波数ネットワークセルグループは、少なくとも二つのセルを含み、少なくとも二つのセルは、少なくとも二つのビーム送信をサポートする第１のビームを含み、第１のビームは、第１のセルによってサポートされたビームのうちの１つである。
【０１０６】
第１の受信モジュール７１０は、異なる伝送周期で単一周波数ネットワークセルグループの第１のビームを介してダウンリンク情報を受信するように構成される第１の受信サブモジュールを含む。
【０１０７】
また、端末７００は、
異なる伝送周期に受信したダウンリンク情報を統合してダウンリンク情報を取得するように構成される第１の処理モジュール、
又は、
同期伝送周期に受信したダウンリンク情報をカスケードしてチャネルデコードして、ダウンリンク情報を取得するように構成される第２の処理モジュールをさらに含む。
【０１０８】
ダウンリンク情報は、エクステンドサイクリックプレフィックスＣＰ又はノーマルＣＰを使用する直交周波数分割多重ＯＦＤＭ方式で送信される。
【０１０９】
また、ダウンリンク情報は、単一周波数ネットワークセルグループに対応する専用帯域幅パートＢＷＰを介して受信される。
【０１１０】
また、端末７００は、
【０１１１】
ネットワークデバイスの配置に従って、専用帯域幅パートＢＷＰをアクティブ又は非アクティブするように構成される第３の処理モジュールをさらに含む。
【０１１２】
ダウンリンク情報は、同期信号ブロックＳＳＢ、ペーシング信号、ウェイクアップ信号ＷＵＳ、スリープ信号ＧＴＳ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む。
【０１１３】
ダウンリンク情報の伝送フォーマット関連情報は、伝送周期、パラメータセットＮｕｍｅｒｏｌｏｇｙ、ビームの数、及び時間・周波数領域リソースを含む。
【０１１４】
また、端末７００は、ＳＳＢ、ＣＳＩ−ＲＳ、及びＤＭＲＳのうちの少なくとも１つを介して、無線リソース管理ＲＲＭの測定及び/又は無線リンク監視ＲＬＭの測定を実施するように構成される測定モジュールをさらに含む。
【０１１５】
端末が単一周波数ネットワークセルグループ内を移動する場合、セル再選択又はセル切替を実行しない。
【０１１６】
端末が異なる単一周波数ネットワークセルグループ間を移動する場合、単一周波数ネットワークセルグループの再選択又は単一周波数ネットワークセルグループの切替を実行する。
【０１１７】
また、端末７００は、
セルにアクセスするために次のステップを実行するように構成される第１のアクセスモジュールであって、
セルに対応するＳＳＢを検索して同期させるステップと、
セルに対応するＰＢＣＨを介して報知情報を読み取るステップと、
セルに対応するＳＩＢを介してシステム情報を読み取るステップとを含むように構成される第１のアクセスモジュールであって、セルは単一周波数ネットワークセルグループに含まれるセルであるように構成される第１のアクセスモジュールをさらに含む。
【０１１８】
また、端末７００は、
端末がアイドル状態又は非アクティブ状態である場合、単一周波数ネットワークセルグループにアクセスするように構成される第２のアクセスモジュール、
又は、
送信対象のデータ量がしきい値よりも少ない場合、単一周波数ネットワークセルグループにアクセスするように構成される第３のアクセスモジュールをさらに含む。
【０１１９】
また、端末７００は、
端末が接続状態のときにセルにアクセスするように構成される第４のアクセスモジュール、
又は、
送信対象のデータ量がしきい値よりも多い場合にセルにアクセスするように構成される第５のアクセスモジュールをさらに含み、
ここで、セルは単一周波数ネットワークセルグループに含まれるセルである。
【０１２０】
単一周波数ネットワークセルグループの無線リソース管理ＲＲＭの測定期間は、セルのＲＲＭ測定期間以上である。ここで、セルは、単一周波数ネットワークセルグループに含まれるセルである。
【０１２１】
単一周波数ネットワークセルグループは、専用ビーム管理及び/又は専用ビーム故障回復をサポートする。
【０１２２】
単一周波数ネットワークセルグループに対応するＳＳＢの同期ラスターは、１つのセルに対応するＳＳＢの同期ラスターとは異なる。
【０１２３】
単一周波数ネットワークセルグループのＳＳＢ、ＣＳＩ−ＲＳ、及びＤＭＲＳのうちの少なくとも１つは、単一周波数ネットワークセルグループ専用の生成シーケンス及び/又はスクランブリングシーケンスを有する。
【０１２４】
単一周波数ネットワークセルグループの信号品質は、単一周波数ネットワークセルグループのビーム検出によって決定される。
【０１２５】
本発明の実施例は、単一周波数ネットワークゲインを取得し、ネットワークカバレッジを高めることができると同時に、セル再選択の回数を減らすこともでき、また、ナロービームゲインも取得でき、ネットワークカバレッジをさらに高めることに留意されたい。
【０１２６】
上記のネットワークデバイスと端末のさまざまなモジュールの分割は、単にロジック機能の分割にすぎず、実際の実現中に完全に又は部分的に１つの物理的実体に集成されてもよく、物理的に分離されても構わないことを理解されたい。また、これらのモジュールは、すべて処理素子を介してソフトウェアを呼び出す形式で実現してもよく、すべて、ハードウェアの形式で実現してもよく、さらに、一部のモジュールが処理素子によってソフトウェアを呼び出す形式で実現し且つ一部のモジュールがハードウェアの形式で実現してもよい。例えば、決定モジュールは、別個に設定された処理素子であってもよいし、上記装置のチップに集成してもよいし、さらに、プログラムコードの形で上記装置のメモリに格納されてもよく、上記装置のある処理素子にて上記の決定モジュールの機能を呼び出して実行する。他のモジュールの実現はこれと同様である。さらに、これらのモジュールのすべて又は一部を集成してもよいし、個別に実現することもよい。ここで記載の処理素子は、信号処理機能を備えた集積回路であり得る。実現プロセスでは、上記の方法の各ステップ又は上記の各モジュールは、プロセッサ素子におけるハードウェアの集積論理回路、又はソフトウェアの形式の指令によって完成することができる。
【０１２７】
例えば、上記のこれらのモジュールは、１つ以上の特定用途向け集積回路（Ａｐｐｌｉｃａｔｉｏｎ ｓｐｅｃｉｆｉｃ Ｉｎｔｅｇｒａｔｅｄ Ｃｉｒｃｕｉｔ、ＡＳＩＣ）、又は１つ以上のマイクロプロセッサ（Ｄｉｇｉｔａｌ Ｓｉｇｎａｌ Ｐｒｏｃｅｓｓｏｒ、ＤＳＰ）、又は１つ以上のフィールド・プログラマブル・ゲート・アレイ（Ｆｉｅｌｄ Ｐｒｏｇｒａｍｍａｂｌｅ Ｇａｔｅ Ａｒｒａｙ、 ＦＰＧＡ）などの、上記の方法を実施する１つ以上の集積回路になるように構成され得る。別の例では、上記のモジュールの１つが処理素子を介してプログラムコードを呼び出す形式で実現される場合、この処理素子は、中央処理ユニット（Ｃｅｎｔｒａｌ Ｐｒｏｃｅｓｓｉｎｇ Ｕｎｉｔ、ＣＰＵ）又はプログラムコードを呼び出すことができる他のプロセッサなどの汎用プロセッサであり得る。別の例では、これらのモジュールを集成して、システムオンチップ（ｓｙｓｔｅｍ−ｏｎ−ａ−ｃｈｉｐ、ＳＯＣ）の形式で実現することができる。
【０１２８】
上記の目的をよりよく達成するために、さらに、図８は、本発明の様々な実施例に関わる端末のハードウェア構造を示す図である。端末８０は、無線周波数ユニット８１、ネットワークモジュール８２、音声出力ユニット８３、入力ユニット８４、センサー８５、表示ユニット８６、ユーザ入力ユニット８７、インターフェースユニット８８、メモリ８９、プロセッサ８１０、電源８１１等の部品を含むが、これらに限定されない。当業者なら、図８に示す端末の構造が端末の限定を構成するものではなく、端末が図に示すものより多い又は少ない部品か、又は何らかの部品を組み合わせるか、又は異なる部品配置を含み得ることを理解するはずである。本発明の実施例では、端末は、携帯電話、タブレット、ノートパソコン、パームトップパソコン、車載端末、ウェアラブルデバイス、及び歩数計を含むが、これらに限定されない。
【０１２９】
無線周波数ユニット８１は、プロセッサ８１０の制御下でデータを送受信するために使用され、具体的には、単一周波数ネットワークセルグループの第１のビームを介してダウンリンク情報を受信するために使用される。ここで、単一周波数ネットワークセルグループは、少なくとも二つのセルを含み、少なくとも二つのセルは、少なくとも二つのビーム伝送をサポートする第１のセルを含み、第１のビームは、第１のセルによってサポートされたビームの１つである。
【０１３０】
本発明の実施例の端末は、単一周波数ネットワークゲインを取得し、ネットワークカバレッジを高めることができると同時に、セル再選択の回数を減らすこともでき、また、ナロービームゲインを取得し、ネットワークカバレッジをさらに高めることができる。
【０１３１】
本発明の実施例では、無線周波数ユニット８１は、情報の送受信又は通話過程での信号の送受信をするために使用できることを理解されたい。具体的には、基地局からのダウンリンクデータを受信後、プロセッサ８１０によって処理され、また、アップリンクデータを基地局に送信する。一般に、無線周波数ユニット８１は、アンテナ、１つ以上の増幅器、トランシーバ、カプラ、低ノイズ増幅器、ダイプレクサなどを含むが、これらに限定されない。さらに、無線周波数ユニット８１はまた、無線通信システムを介してネットワーク及び他のデバイスと通信することもできる。
【０１３２】
端末は、ネットワークモジュール８２を介して無線ブロードバンドインターネットアクセスをユーザに提供しており、例えば、ユーザが電子メールを送受信したり、ウェブページを閲覧したり、ストリーミングメディアにアクセスしたりするのを支援するなど。
【０１３３】
音声出力ユニット８３は、無線周波数ユニット８１又はネットワークモジュール８２によって受信された、又はメモリ８９に格納された音声データを音声信号に変換し、それを音声として出力することができる。音声出力ユニット８３は、端末８０によって実行される特定の機能（例えば、ペーシング信号の受信音、メッセージ受信音など）に関連する音声出力をさらに提供することができる。音声出力ユニット８３は、スピーカー、ブザー、受話器などを含む。
【０１３４】
入力ユニット８４は、音声又は動画信号を受信するために使用される。入力ユニット８４は、ビデオキャプチャモード又は画像キャプチャモードで画像キャプチャ装置（カメラなど）によって獲得された静止画像又はビデオ画像データを処理するグラフィックプロセッシングユニット（Ｇｒａｐｈｉｃｓ Ｐｒｏｃｅｓｓｉｎｇ Ｕｎｉｔ、 ＧＰＵ）８４１及びマイクロフォン８４２を含み得る。処理された画像フレームは、表示ユニット８６に表示することができる。グラフィックプロセッシングユニット８４１によって処理された画像フレームは、メモリ８９（又は他の記憶媒体）に格納され得るか、又は無線周波数ユニット８１やネットワークモジュール８２を介して送信され得る。マイクロフォン８４２は音を受信することができるし、そのような音を音声データに処理することもできる。処理された音声データは、電話通話モードの場合に、無線周波数ユニット８１を介して移動通信基地局に送信できるフォーマットに変換して出力することができる。
【０１３５】
端末８０はまた、光センサー、運動センサー、及び他のセンサーなどの少なくとも１つのセンサー８５を含む。具体的には、光センサーは、周囲光の明るさに応じて表示パネル８６１の輝度を調整することができる環境光センサーと、端末８０が耳に移動したときに表示パネル８６１及び/又はバックライトを閉じることができる近接センサーとを含む。加速度計センサーは、運動センサーの一種として、さまざまな方向（通常は３軸）の加速度の大きさを検出でき、静止時の重力の大きさ及び方向を検出でき、端末姿勢の識別（水平及び垂直画面切り替え、関連ゲーム、磁力計の姿勢キャリブレーションなど）、振動による関連機能（歩数計、叩きなど）の識別をするために使用できる。センサー８５は、指紋センサー、圧力センサー、虹彩センサー、分子センサー、ジャイロスコープ、気圧計、湿度計、温度計、赤外線センサー等をさらに含み得る。詳細がここで再び記述されることはない。
【０１３６】
表示ユニット８６は、ユーザが入力した情報又はユーザに提供した情報を表示するように構成される。表示ユニット８６は、表示パネル８６１を含み、液晶ディスプレイ（Ｌｉｑｕｉｄ Ｃｒｙｓｔａｌ Ｄｉｓｐｌａｙ、ＬＣＤ）、有機発光ダイオード（Ｏｒｇａｎｉｃ Ｌｉｇｈｔ−Ｅｍｉｔｔｉｎｇ Ｄｉｏｄｅ、ＯＬＥＤ）などの形式で配置され得る。
【０１３７】
ユーザ入力ユニット８７は、入力された数字又は文字情報を受信し、端末のユーザ設定及び機能制御に関連するキー信号入力を生成するように構成される。具体的には、ユーザ入力ユニット８７は、タッチパネル８７１及び他の入力装置８７２を含む。タッチパネル８７１は、タッチスクリーンとも呼ばれ、その上又はその近くでの（例えば、ユーザが指やスタイラスペンなどの任意の適切な物体又は付属品を使用してタッチパネル８７１上又はタッチパネル８７１の近くでの操作）ユーザのタッチ操作を収集することができる。タッチパネル８７１は、タッチ検出装置及びタッチコントローラの二つの部分を含み得る。タッチ検出装置は、ユーザのタッチ位置を検出し、タッチ操作による信号を検出し、その信号をタッチコントローラに送信する。タッチコントローラは、タッチ検出装置からタッチ情報を受信し、それを触点座標に変換し、プロセッサ８１０に送信し、プロセッサ８１０からのコマンドを受信して実行する。さらに、タッチパネル８７１は、抵抗式、電気容量式、赤外線、及び表面音波などの様々なタイプで実現することができる。タッチパネル８７１に加えて、ユーザ入力ユニット８７はまた、他の入力装置８７２を含み得る。具体的には、他の入力装置８７２は、物理キーボード、機能キー（ボリューム制御キー、スイッチキーなど）、トラックボール、マウス、及びジョイスティックを含み得るが、これらに限定されない。詳細がここで再び記述されることはない。
【０１３８】
さらに、タッチパネル８７１は、表示パネル８６１を覆うことができ、タッチパネル８７１がその上又はその近くでのタッチ操作を検出すると、プロセッサ８１０に送信し、タッチイベントのタイプを決定し、その後、プロセッサ８１０がイベントのタイプに応じて、表示パネル８６１上に対応する視覚的出力を提供する。図８では、タッチパネル８７１及び表示パネル８６１は、端末の入出力機能を実現するための２つの独立した部品として使用されるが、いくつかの実施例では、タッチパネル８７１と表示パネル８６１を集成することで端末の入出力機能を実現でき、具体的にはここで限定しない。
【０１３９】
インターフェースユニット８８は、外部装置と端末８０とを接続するインターフェースである。例えば、外部装置は、有線又は無線のヘッドフォンポート、外部電源（又はバッテリ充電器）ポート、有線又は無線のデータポート、メモリカードポート、識別モジュールを有する装置に接続するためのポート、音声入力/出力（Ｉ／Ｏ）ポート、ビデオＩ／Ｏポート、ヘッドフォンポート等を含み得る。インターフェースユニット８８は、外部装置からの入力（例えば、データ情報、電力など）を受信し、受信した入力を端末８０における１つ以上の素子に伝送するために使用されることができ、又は端末８０と外部装置との間でデータを伝送するために使用されることができる。
【０１４０】
メモリ８９は、ソフトウェアプログラム及び様々なデータを格納するために使用され得る。メモリ８９は、主にプログラム記憶領域及びデータ記憶領域を含むことができ、プログラム記憶領域が、操作システム、少なくとも１つの機能（音声再生機能、画像再生機能など）に必要なアプリケーションプログラムなどを収納でき、データ記憶領域が、携帯電話の使用による作成されたデータ（音声データ、電話帳など）を収納できる。また、メモリ８９は、高速ランダムアクセスメモリを含み得、少なくとも１つのディスクメモリ、フラッシュメモリ、他の揮発性ソリッドステートメモリなどの非揮発性メモリをさらに含み得る。
【０１４１】
プロセッサ８１０は、端末の制御センターであり、様々なインターフェース及び回線で端末全体の各部を接続し、メモリ８９に格納されたソフトウェアプログラム及び/又はモジュールを運行又は実行すること、及びメモリ８９に格納されたデータを呼び出すことによって、端末の各種機能とデータの処理を実行し、端末全体を監視する。プロセッサ８１０は、１つ以上の処理ユニットを含み得、任意選択で、プロセッサ８１０はアプリケーションプロセッサ及びモデムプロセッサを集成することができ、アプリケーションプロセッサは主に操作システム、ユーザインターフェース、及びアプリケーションプログラムなどを処理し、モデムプロセッサは主に無線通信を処理する。上記のモデムプロセッサは、プロセッサ８１０に集成されなくてもよいと理解され得る。
【０１４２】
端末８０は各部品に電力を供給する電源８１１（バッテリーなど）をさらに含み得、任意選択で、電源８１１は電源管理システムを介してプロセッサ８１０に論理的に接続することができ、電源管理システムを介して充放電管理、及び電力消費管理等の機能を実現する。
【０１４３】
なお、端末８０は、示されていないいくつかの機能モジュールを含む。詳細がここで再び記述されることはない。
【０１４４】
任意選択で、本発明の実施例は、プロセッサ８１０と、メモリ８９と、及びメモリ８９に格納され且つプロセッサ８１０上で実行可能なコンピュータプログラムとを含む端末をさらに提供てしており、このコンピュータプログラムがプロセッサ８１０によって実行されるとき、上記情報伝送方法実施例のステップを実現でき、且つ同じ技術的効果を達成できる。詳細がここで再び記述されることはない。端末は、無線端末又は有線端末であり得、無線端末は、音声及び/又は他のサービスデータ接続をユーザに提供する装置、無線接続機能を備えた手持ち式装置、又は無線モデムに接続された他の処理装置であり得る。無線端末は、無線アクセスネットワーク（Ｒａｄｉｏ Ａｃｃｅｓｓ Ｎｅｔｗｏｒｋ、 ＲＡＮ）を通して１つ以上のコアネットワークと通信することでき、無線端末は、携帯電話（又は「セルラー」電話）などのモバイル端末であってもよく、モバイル端末を備えたコンピューター（例えば、無線アクセスネットワークと音声及び/又はデータを交換するポータブル式・ポケット式・手持ち式・コンピューター内蔵又は車載のモバイル装置）であってもよい。例えば、パーソナルコミュニケーションサービス（Ｐｅｒｓｏｎａｌ Ｃｏｍｍｕｎｉｃａｔｉｏｎ Ｓｅｒｖｉｃｅ、ＰＣＳ）電話、コードレス電話、セッション開始プロトコル（Ｓｅｓｓｉｏｎ Ｉｎｉｔｉａｔｉｏｎ Ｐｒｏｔｏｃｏｌ、ＳＩＰ）電話、無線ローカルループ（Ｗｉｒｅｌｅｓｓ Ｌｏｃａｌ Ｌｏｏｐ、ＷＬＬ）ステーション、及び携帯情報端末（Ｐｅｒｓｏｎａｌ Ｄｉｇｉｔａｌ Ａｓｓｉｓｔａｎｔ、ＰＤＡ）等のデバイス。無線端末は、システム、サブスクライバーユニット（Ｓｕｂｓｃｒｉｂｅｒ Ｕｎｉｔ）、サブスクライバーステーション（Ｓｕｂｓｃｒｉｂｅｒ Ｓｔａｔｉｏｎ）、モバイルステーション（Ｍｏｂｉｌｅ Ｓｔａｔｉｏｎ）、モバイル（Ｍｏｂｉｌｅ）、リモートステーション（Ｒｅｍｏｔｅ Ｓｔａｔｉｏｎ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザー端末（Ｕｓｅｒ  Ｔｅｒｍｉｎａｌ）、ユーザーエージェント（Ｕｓｅｒ Ａｇｅｎｔ）、ユーザ装置（Ｕｓｅｒ Ｄｅｖｉｃｅ ｏｒ Ｕｓｅｒ Ｅｑｕｉｐｍｅｎｔ）とも呼ばれ、ここでは限定しない。
【０１４５】
本発明の実施例は、コンピュータプログラムが記憶されたコンピュータ読み取り可能な記憶媒体をさらに提供しており、プロセッサによって実行されるときに上述情報伝送方法実施例のステップを実現し、且つ同じ技術的効果を達成できる。詳細がここで再び記述されることはない。前記コンピュータ読み取り可能な記憶媒体は、読み出し専用メモリ（Ｒｅａｄ−Ｏｎｌｙ Ｍｅｍｏｒｙ、 ＲＯＭ）、ランダムアクセスメモリ（Ｒａｎｄｏｍ Ａｃｃｅｓｓ Ｍｅｍｏｒｙ、 ＲＡＭ）、磁気ディスク又は光ディスクなどである。
【０１４６】
当業者なら、本明細書に開示された実施例に記載された例のユニット及びアルゴリズムステップが、電子ハードウェア又はコンピュータソフトウェアと電子ハードウェアの組み合わせによって実行できることを意識するはずである。これらの機能がハードウェアで実行されるかソフトウェアで実行されるかは、技術的なソリューションの特定のアプリケーションと設計上の制約条件による。当業者は、特定のアプリケーションごとに異なる方法を使用して、記載された機能を実現することができるが、いずれも本発明の保護範囲内に含まれるべきである。
【０１４７】
当業者は、便利さ及び簡潔さのために、上記のシステム、装置、及びユニットの具体的な作業ステップが、前述の方法の実施例における対応するステップを参照できることを明らかに理解できる。詳細がここで再び記述されることはない。
【０１４８】
本発明で提供された実施例では、開示される装置及び方法は、他の方法で実施され得ることを理解するべきである。例えば、上記の装置の実施例は、単に例示的なものである。例えば、ユニットの分割は、ロジック機能の分割にすぎず、実際の実現中では他の分割方式が存在する場合があり、例えば、複数のユニット又はコンポーネントを他のシステムに集成するか統合することができ、又は、一部の特徴を無視することができ、又は実行しないこともできる。さらに、表示又は議論されている相互結合又は直接結合又は通信接続は、いくつかのインターフェース、デバイス、又はユニットを介した間接結合又は通信接続であってもよく、電気的、機械的又は他の形態であってもよい。
【０１４９】
前記分離部品として説明されているユニットは、物理的に分離されてもよく、非物理的に分離されてもよい。ユニット表示部品としては、物理的ユニットであってもよく、非物理的ユニットであってもよい、すなわち、同じ所に配置されてもよく、複数のネットワークユニットに配置されてもよい。実際の必要性に従って、ユニットのいくつか又はすべてを選択して本実施例の解決策の目的を達成することができる。
【０１５０】
さらに、本発明の各実施例における各機能ユニットは１つの処理ユニットに集成してもよく、又は、各機能ユニットは物理的に単独で存在してもよく、又は二つ以上のユニットは１つのユニットに集成してもよい。
【０１５１】
前記機能がソフトウェア機能ユニットの形で実現され且つ独立した製品として販売又は使用される場合、コンピュータ読み取り可能な記憶媒体に収納することできる。この理解に基づいて、本発明の技術的なソリューションの本質又は先行技術に寄与する部分又は本技術的なソリューションの一部は、ソフトウェア製品の形で体現することができ、このコンピュータソフトウェア製品が１つの記憶媒体に収納されて、コンピュータデバイス（パーソナルパソコン、サーバ、又はネットワークデバイスなどであり得る）を本発明の各実施例の記載方法のステップの全部又は一部を実行させるためのいくつかの命令を含む。前記の記憶媒体は、プログラムコードを記憶するができる媒体を含み、例えば、Uディスク、リムーバブルハードディスク、ＲＯＭ、ＲＡＭ、磁気ディスク又は光ディスクなど。
【０１５２】
さらに、本発明の装置及び方法において、明らかに、各部品又は各ステップは、分解及び/又は再組合できることに留意されたい。これらの分解及び/又は再組合は、本発明の同等の解決策と見なされるべきである。さらに、上記の一連の処理を実行するステップは、自然に、説明した順番で時系列で実行できるが、必ずしも時系列で実行する必要はなく、一部のステップは、並行して実行してもよく、又は、互いに独立して実行してもよい。当業者にとって、本発明の方法及び装置のすべて又は任意のステップ又は部品は、コンピューティングデバイスのネットワーク（プロセッサ、記憶媒体などを含む）又はコンピューティングデバイスのネットワークの中でハードウェア、ファームウェア、ソフトウェア、又はそれらの組み合わせによって実現され得ることを理解することができる。これは、当業者は、本発明の説明を読んだ上で、彼らの基本的なプログラミングスキルを駆使して達成することができる。
【０１５３】
したがって、本発明の目的は、任意のコンピューティングデバイス上で１つ又は一組のプログラムを実行することによっても実現することができる。前記コンピューティングデバイスは、公知の汎用デバイスであり得る。したがって、本発明の目的は、前記方法又は装置を実現するためのプログラムコードを含むプログラム製品を提供することによってのみ達成することもできる。すなわち、そのようなプログラム製品も本発明を構成し、またそのようなプログラム製品を収納する記憶媒体もまた本発明を構成する。明らかに、前記記憶媒体は、任意の公知の記憶媒体又は将来開発される任意の記憶媒体であり得る。さらに、本発明の装置及び方法において、明らかに、各部品又は各ステップは、分解及び/又は再組合できることに留意されたい。これらの分解及び/又は再組合は、本発明の同等の解決策と見なされるべきである。さらに、上記の一連の処理を実行するステップは、自然に、説明した順番で時系列で実行できるが、必ずしも時系列で実行する必要はない。一部のステップは、並行して実行してもよく、又は、互いに独立して実行してもよい。
【０１５４】
以上は、本発明の任意選択の実施形態であり、当業者にとって、本発明に記載された原理から逸脱することなく、いくつかの改善及び修正を行うことができ、これらの改善及び修正も本発明の保護範囲内に含まれるべきであることに留意されたい。
（関連出願の相互参照）
本出願は２０１８年９月１０日に中国で出願された中国特許出願番号Ｎｏ. ２０１８１１０５２５６３.Ｘの優先権を主張しており、そのすべての内容は引用によりここに含まれている。
【図１】
2021536194.tif 000003
【図２】
2021536194.tif 000004
【図３】
2021536194.tif 000005
【図４】
2021536194.tif 000006
【図５】
2021536194.tif 000007
【図６】
2021536194.tif 000008
【図７】
2021536194.tif 000009
【図８】
2021536194.tif 000010
【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
単一周波数ネットワークセルグループの第１のビームを介して端末にダウンリンク情報を送信するステップであって、前記単一周波数ネットワークセルグループが少なくとも二つのセルを含み、前記少なくとも二つのセルが少なくとも二つのビーム送信をサポートする第１のセルを含み、第１のビームが第１のセルによってサポートされたビームの１つである、ステップを含む、ネットワークデバイスに適用される情報送信方法。
【請求項２】
単一周波数ネットワークセルグループの第１のビームを介してダウンリンク情報を端末に送信するステップは、
異なる伝送周期内で、前記単一周波数ネットワークセルグループの第１のビームを介して端末にダウンリンク情報を送信するステップを含み、
前記ダウンリンク情報が伝送周期の単位で繰り返し送信される、又は、前記ダウンリンク情報が異なる伝送周期内の第１のビームを介して共同で送信される、請求項１に記載の情報送信方法。
【請求項３】
前記ダウンリンク情報は、単一周波数ネットワークセルグループに対応する専用帯域幅パートＢＷＰを介して送信される、請求項１に記載の情報送信方法。
【請求項４】
単一周波数ネットワークセルグループの第１のビームを介してダウンリンク情報を端末に送信するステップの前に、
前記端末のために前記単一周波数ネットワークセルグループの、単一周波数ネットワークセルグループ識別子と単一周波数ネットワークセルグループ周波数ポイントと同期信号ブロックパターンのうちの少なくとも１つを含むグループ関連情報を配置するステップ、をさらに含む、請求項１に記載の情報送信方法。
【請求項５】
単一周波数ネットワークセルグループの第１ビームを介してダウンリンク情報を受信するステップであって、前記単一周波数ネットワークセルグループが少なくとも二つのセルを含み、前記少なくとも二つのセルが少なくとも二つのビーム送信をサポートする第１のセルを含み、前記第１ビームが第１のセルによってサポートされたビームの１つである、ステップを含む、端末に適用される情報送信方法。
【請求項６】
単一周波数ネットワークセルグループの第１のビームを介してダウンリンク情報を受信するステップは、
異なる伝送周期内で、前記単一周波数ネットワークセルグループの第１のビームを介してダウンリンク情報を受信するステップを含み、
ここで、異なる伝送周期内で、前記単一周波数ネットワークセルグループの第１のビームを介してダウンリンク情報を受信するステップの後、
異なる伝送周期に受信したダウンリンク情報を統合し、前記ダウンリンク情報を取得するステップと、 
又は、
同期伝送時間帯に受信したダウンリンク情報をカスケードしてチャネルデコードして、前記ダウンリンク情報を取得するステップ、をさらに含む、請求項５に記載の情報送信方法。
【請求項７】
前記ダウンリンク情報は直交周波数分割多重ＯＦＤＭ方式で送信され、且つ前記ＯＦＤＭ方法がエクステンドサイクリックプレフィックスＣＰを使用する、請求項５に記載の情報送信方法。
【請求項８】
前記ダウンリンク情報が、前記単一周波数ネットワークセルグループに対応する専用帯域幅パートＢＷＰを介して受信される、請求項５に記載の情報送信方法。
【請求項９】
前記ダウンリンク情報が、同期信号ブロックＳＳＢ、ペーシング信号、ウェイクアップ信号ＷＵＳ、スリープ信号ＧＴＳ、物理報知チャンネルＰＢＣＨ、復調用参照信号ＤＭＲＳ、チャネル状態情報参照信号ＣＳＩ−ＲＳ、及びシステム情報ブロックＳＩＢにおいて保持される情報のうちの少なくとも１つを含む、請求項５に記載の情報送信方法。
【請求項１０】
前記ダウンリンク情報の伝送フォーマット関連情報が、伝送周期、パラメータセットＮｕｍｅｒｏｌｏｇｙ、ビームの数、及び時間周波数領域リソースのうちの少なくとも１つを含む、請求項５又は９に記載の情報送信方法。
【請求項１１】
前記端末が、単一周波数ネットワークセルグループ内を移動するとき、セル再選択又はセル切替を実行しない、及び/又は
前記端末が、異なる単一周波数ネットワークセルグループ間を移動するとき、単一周波数ネットワークセルグループの再選択又は単一周波数ネットワークセルグループの切替を実行する、請求項５に記載の情報送信方法。
【請求項１２】
前記端末がアイドル状態又は非アクティブ状態である場合、前記単一周波数ネットワークセルグループにアクセスするステップ、
又は、
送信対象のデータ量がしきい値より少ない場合、前記単一周波数ネットワークセルグループにアクセスするステップをさらに有し、
又は
前記端末が接続状態である場合、セルにアクセスするステップ、
又は、
送信対象のデータ量がしきい値よりも多い場合、セルにアクセスするステップをさらに有し、
前記セルは、前記単一周波数ネットワークセルグループに含まれるセルである、請求項５に記載の情報送信方法。
【請求項１３】
前記単一周波数ネットワークセルグループの無線リソース管理ＲＲＭの測定期間は、セルのＲＲＭ測定期間以上であって、前記セルが前記単一周波数ネットワークセルグループに含まれ、及び/又は、
前記単一周波数ネットワークセルグループは、専用ビーム管理及び/又は専用ビームの故障回復をサポートし、及び/又は、
前記単一周波数ネットワークセルグループに対応するＳＳＢの同期ラスターは、１つのセルに対応するＳＳＢの同期ラスターとは異なり、及び/又は、
前記単一周波数ネットワークセルグループのＳＳＢ、ＣＳＩ−ＲＳ、及びＤＭＲＳのうちの少なくとも１つは、前記単一周波数ネットワークセルグループ専用の生成シーケンス、及び/又はスクランブルシーケンスを有し、及び/又は、
前記単一周波数ネットワークセルグループの信号品質は、単一周波数ネットワークセルグループのビーム検出に基づいて決定される、請求項１又は５に記載の情報送信方法。
【請求項１４】
単一周波数ネットワークセルグループの第１ビームを介してダウンリンク情報を端末に送信するように構成される第１の送信モジュールであって、単一周波数ネットワークセルグループは、少なくとも二つのセルを含み、前記少なくとも二つのセルは、少なくとも二つのビーム伝送をサポートする第１のセルを含み、前記第１ビームは、前記第１のセルによってサポートされたビームのうちの１つであるように構成される第１の送信モジュールを含む、ネットワークデバイス。
【請求項１５】
単一周波数ネットワークセルグループの第１ビームを介してダウンリンク情報を受信するように構成される第１の受信モジュールであって、前記単一周波数ネットワークセルグループは、少なくとも二つのセルを含み、前記少なくとも二つのセルは、少なくとも二つのビーム伝送をサポートする第１のセルを含み、前記第１ビームは、前記第１のセルによってサポートされたビームのうちの１つであるように構成される第１の受信モジュールを含む、端末。
【国際調査報告】
2021536194.tif 000011
2021536194.tif 000012
2021536194.tif 000013
2021536194.tif 000014
2021536194.tif 000015